(57)【要約】【課題】容器本体に紙製外装体を巻着する簡易な構成により断熱効果を得るとともに、接着剤を使うことなく容器本体と紙製外装体を強固に固定し、しかも容器本体の安定性を高めた紙製外装体を備えた容器を提供する。【解決手段】底部１２に向かって直径が小さくなるテーパ状筒胴部１３を有しその上部の段部１５を介して直径が狭まる逆テーパ帯状部１６が形成された容器胴部１８を有する容器本体１０と、扇形状紙片からなり容器胴部に巻着されるテーパ状筒状体５２に形成され、かつテーパ状筒状体の上部５６に扇形状紙片の上辺部を筒内方へ折り曲げた内側ひだ部６２を部分的に有する上辺部折曲部６１が逆テーパ帯状部に圧接するとともに、扇形状紙片の下辺部を筒内方へ折り曲げた内側折重部６４よりなる下辺部折曲部６３が容器本体の底部より下方に延設されていて容器本体の容器下端部６５として構成された紙製外装体５０を備える。【選択図】図５
2019023098.tif 000002
【特許請求の範囲】
【請求項１】
底部に向かって直径が小さくなるテーパ状筒胴部を有しかつ前記テーパ状筒胴部の上部に段部を介して該段部の上側部の直径を前記段部の下側部より狭めた逆テーパ帯状部が形成されてなる容器胴部を有する容器本体と、
前記容器胴部に巻着される紙製外装体であって、前記紙製外装体は該紙製外装体の上辺部を該紙製外装体の下辺部より長くする扇形状紙片からなり前記容器胴部に巻着されるテーパ状筒状体に形成されており、かつ前記テーパ状筒状体の上部には前記扇形状紙片の前記上辺部を該テーパ状筒状体の筒内方へ折り曲げた内側ひだ部を部分的に有する上辺部折曲部が前記容器本体の前記逆テーパ帯状部に圧接しているとともに、前記扇形状紙片の前記下辺部を前記テーパ状筒状体の筒内方へ折り曲げた内側折重部よりなる下辺部折曲部は前記容器本体の前記底部より下方に延設されていて前記容器本体の容器下端部として構成されている
ことを特徴とする紙製外装体を備えた容器。
【請求項２】
前記テーパ状筒胴部に胴突部が設けられている請求項１に記載の紙製外装体を備えた容器。
【請求項３】
前記容器本体の前記容器胴部の全体が前記紙製外装体により被覆されている請求項１または２に記載の紙製外装体を備えた容器。
【請求項４】
前記容器本体が合成樹脂のシート体から形成されている請求項１ないし３のいずれか１項に記載の紙製外装体を備えた容器。
【請求項５】
前記紙製外装体が撥水性または耐水性を有する請求項１ないし４のいずれか１項に記載の紙製外装体を備えた容器。
【請求項６】
前記紙製外装体に表示部が設けられている請求項１ないし５のいずれか１項に記載の紙製外装体を備えた容器。
【発明の詳細な説明】
【技術分野】
【０００１】
本発明は、紙製外装体を備えた容器に関し、特に、接着剤を使用せずに紙製外装体と容器本体との固定を可能とした紙製外装体を備えた容器に関する。
【背景技術】
【０００２】
各種の麺類、飲料、味噌汁、スープ、シチュー、カレー等の７０ないし９５℃前後の食品を提供する容器として、二重容器が広く用いられている。二重容器とは、食品を収容する容器本体と外装体（スリーブ）から構成される。容器本体は、プラスチック（熱可塑性樹脂）の板状体を真空成形、圧空成形等によりカップ状等の所定形状に形成される。そして、容器本体の外周面に厚紙等の紙製外装体（スリーブ）が巻装される。このように容器本体の外側に紙製外装体が重ねられているため、容器本体内の食品の熱が直接容器本体から飲食者の手に伝導しない。よって、容器自体の持ちやすさ、食品の提供、取り扱いの利便性が向上する。
【０００３】
前述の二重容器にあっては、容器本体に紙製外装体を固定するに際し、接着剤が用いられている（特許文献１参照）。その後、接着剤を使用しない固定構造も提案されている（特許文献２，３参照）。特許文献２，３の容器によると、接着剤を塗布する加工の省略により容器の作製は簡素化される。しかしながら、紙製外装体により容器本体を被覆されていない箇所も存在しており、見栄え上の問題も存在する。また、容器本体の底部も紙製外装体により被覆されていないため、持ちやすさの点で改善が望まれていた。
【０００４】
さらに、特許文献２，３の容器では、容器本体に充填された食品の熱により、容器底面が撓む等の変形のおそれもある。そうすると、容器の底部の接地時に容器本体の安定性が損なわれるおそれもある。
【０００５】
そこで、前出の特許文献１の二重構造の容器のように、紙製外装体を用いて容器本体を浮かせて容器本体の底部を保護し、さらに、接着剤を使用せずに容器本体と紙製外装体を強固に固定できる構造を簡素化した容器が望まれていた。
【先行技術文献】
【特許文献】
【０００６】
【特許文献１】実用新案登録第３１９５５８０号公報
【特許文献２】特開２００４−３１５０３２号公報
【特許文献３】特許第４７１１１３０号公報
【発明の概要】
【発明が解決しようとする課題】
【０００７】
本発明は前記の点に鑑みなされたものであり、容器本体に紙製外装体を巻着する簡易な構成により断熱効果を得るとともに、接着剤を使うことなく容器本体と紙製外装体を強固に固定し、しかも容器本体の安定性を高めた紙製外装体を備えた容器を提供するものである。
【課題を解決するための手段】
【０００８】
すなわち、第１の発明は、底部に向かって直径が小さくなるテーパ状筒胴部を有しかつ前記テーパ状筒胴部の上部に段部を介して該段部の上側部の直径を前記段部の下側部より狭めた逆テーパ帯状部が形成されてなる容器胴部を有する容器本体と、前記容器胴部に巻着される紙製外装体であって、前記紙製外装体は該紙製外装体の上辺部を該紙製外装体の下辺部より長くする扇形状紙片からなり前記容器胴部に巻着されるテーパ状筒状体に形成されており、かつ前記テーパ状筒状体の上部には前記扇形状紙片の前記上辺部を該テーパ状筒状体の筒内方へ折り曲げた内側ひだ部を部分的に有する上辺部折曲部が前記容器本体の前記逆テーパ帯状部に圧接しているとともに、前記扇形状紙片の前記下辺部を前記テーパ状筒状体の筒内方へ折り曲げた内側折重部よりなる下辺部折曲部は前記容器本体の前記底部より下方に延設されていて前記容器本体の容器下端部として構成されていることを特徴とする紙製外装体を備えた容器に係る。
【０００９】
第２の発明は、前記テーパ状筒胴部に胴突部が設けられている第１の発明に記載の紙製外装体を備えた容器に係る。
【００１０】
第３の発明は、前記容器本体の前記容器胴部の全体が前記紙製外装体により被覆されている第１または２の発明に記載の紙製外装体を備えた容器に係る。
【００１１】
第４の発明は、前記容器本体が合成樹脂のシート体から形成されている第１ないし３のいずれかの発明に記載の紙製外装体を備えた容器に係る。
【００１２】
第５の発明は、前記紙製外装体が撥水性または耐水性を有する第１ないし４のいずれかの発明に記載の紙製外装体を備えた容器に係る。
【００１３】
第６の発明は、前記紙製外装体に表示部が設けられている第１ないし５のいずれかの発明に記載の紙製外装体を備えた容器に係る。
【発明の効果】
【００１４】
第１の発明に係る紙製外装体を備えた容器は、底部に向かって直径が小さくなるテーパ状筒胴部を有しかつ前記テーパ状筒胴部の上部に段部を介して該段部の上側部の直径を前記段部の下側部より狭めた逆テーパ帯状部が形成されてなる容器胴部を有する容器本体と、前記容器胴部に巻着される紙製外装体であって、前記紙製外装体は該紙製外装体の上辺部を該紙製外装体の下辺部より長くする扇形状紙片からなり前記容器胴部に巻着されるテーパ状筒状体に形成されており、かつ前記テーパ状筒状体の上部には前記扇形状紙片の前記上辺部を該テーパ状筒状体の筒内方へ折り曲げた内側ひだ部を部分的に有する上辺部折曲部が前記容器本体の前記逆テーパ帯状部に圧接しているとともに、前記扇形状紙片の前記下辺部を前記テーパ状筒状体の筒内方へ折り曲げた内側折重部よりなる下辺部折曲部は前記容器本体の前記底部より下方に延設されていて前記容器本体の容器下端部として構成されているため、容器本体に紙製外装体を巻着する簡易な構成により断熱効果を得るとともに、接着剤を使うことなく容器本体と紙製外装体を強固に固定し、しかも容器本体の安定性が向上する。
【００１５】
第２の発明に係る紙製外装体を備えた容器は、第１の発明において、前記テーパ状筒胴部に胴突部が設けられているため、紙製外装体の握持部はより容器胴部から離される。容器胴部を介しての食品の熱伝導の影響は緩和され持ちやすさは向上する。
【００１６】
第３の発明に係る紙製外装体を備えた容器は、第１または２の発明において、前記容器本体の前記容器胴部の全体が前記紙製外装体により被覆されているため、容器本体からの熱伝導の影響はより軽減されるとともに、容器本体の容器胴部の凹凸の構造は覆い隠されて、容器の見栄えが良くなる。
【００１７】
第４の発明に係る紙製外装体を備えた容器は、第１ないし３のいずれかの発明において、前記容器本体が合成樹脂のシート体から形成されているため、安価かつ簡便に量産して製造できる。しかも、使い切り容器となり、食品の衛生管理に都合よい。
【００１８】
第５の発明に係る紙製外装体を備えた容器は、第１ないし４のいずれかの発明において、前記紙製外装体が撥水性または耐水性を有するため、結露や吸湿による紙製外装体の軟化は防止され剛性や形状は効果的に保持される。
【００１９】
第６の発明に係る紙製外装体を備えた容器は、第１ないし５のいずれかの発明において、前記紙製外装体に表示部が設けられているため、表示部を通じて容器の外観意匠は高められる。
【図面の簡単な説明】
【００２０】
【図１】本発明の容器の分解斜視図である。
【図２】容器本体の縦断面図である。
【図３】紙製外装体の展開図及びテーパ状筒状体の斜視図である。
【図４】テーパ状筒状体の折り曲げ加工後の斜視図である。
【図５】本発明の容器の拡大縦断面図である。
【発明を実施するための形態】
【００２１】
本発明の容器１は、図１の斜視図から理解されるように、容器本体１０と紙製外装体５０（テーパ状筒状体５２）からなる。紙製外装体５０に容器本体１０が嵌め込まれて容器１は一体化され二重容器となる。容器１は、うどん、そば、らーめん等の各種の麺類、丼物、粥、味噌汁、スープ、シチュー、カレー等の惣菜、食品、さらには、茶類、コーヒー、ココア等の飲料の７０ないし９５℃前後の比較的高い温度で提供される食品の包装に使用される。また、熱湯を加えて喫食する即席食品の容器としても用いられる。加えて、清涼飲料水、アイスクリーム、かき氷、果物等の冷蔵、冷凍食品の他、チルド食品の包装容器としても利用される。すなわち、容器１では、容器本体１０内に収容された食品からの熱さまたは冷たさは、紙製外装体５０の介在により熱伝導されにくくなり、飲食者、提供者等が手で持ちやすくなる。
【００２２】
容器本体１０は、開口部１１（図２等参照）、容器胴部１８、底部１２より形成されたカップ形状であり、本実施形態の容器本体１０の横断面はいずれも円形である。容器胴部１８には、容器本体１０の上側となる開口部１１側から底部１２に向かうテーパ状筒胴部１３が備えられる。テーパ状筒胴部１３の上部１４に段部１５が形成され、この段部１５に逆テーパ帯状部１６が形成される。開口部１１の外周にはフランジ部１７が配される。
【００２３】
容器本体１０は安価かつ簡便に量産して製造できる合成樹脂のシート体（プラスチック樹脂シート）から形成される。具体的に容器本体１０は、ポリエチレン、ポリプロピレン、ポリスチレン、ポリエチレンテレフタレート（ＰＥＴ樹脂）等の熱可塑性樹脂のシート体（合成樹脂シート）、さらにはポリ乳酸等の生分解性の熱可塑性樹脂のシート体である。合成樹脂シートの厚さは適宜ではあるものの、概ね１ｍｍ以下の厚さであり、通常、２００ないし７００μｍの厚さである。そして、合成樹脂シートは真空成形、圧空成形等により成形される。
【００２４】
紙製外装体５０は容器本体１０の容器胴部１８に巻着されており、テーパ状筒状体５２として形成される。テーパ状筒状体５２の下辺部５４には内側折重部６４よりなる下辺部折曲部６３が形成される。テーパ状筒状体５２は、公知の厚紙または段ボールのシート等の扇形状紙片５１（後出の図３，４参照）から形成される紙製のスリーブである。紙製外装体５０（扇形状紙片５１）の厚さは０．３ないし３ｍｍの適宜であり、所望の強度、紙の比熱、加工しやすさ等により選択される。紙製であることから他の樹脂よりも熱伝導性が低く都合よい。接合部５７を介して扇形状紙片５１は相互に貼着され、円錐台形状となる。そこで、握持部５５が紙製外装体５０（テーパ状筒状体５２）に生じる。下辺部５４の逆側は上辺部５３であり後出の図にて説明する。
【００２５】
紙製外装体５０は撥水性または耐水性を有することが好ましい。例えば、厚紙の表面に撥水剤等による撥水加工を施した撥水紙、または厚紙の表面にポリエチレン等の樹脂フィルムを貼着した耐水紙が好適に用いられる。紙製外装体５０が撥水性または耐水性を有することにより、結露や吸湿による軟化を抑制することができる。よって、紙製外装体５０及び容器１の剛性や形状を効果的に保持できる。
【００２６】
このように、容器１を構成する材質から理解されるように、容器１は主にワンウェイ（ｏｎｅ−ｗａｙ）、ディスポーザブル（ｄｉｓｐｏｓａｂｌｅ）等と称される１回のみの使用のための使い切り容器（使い捨て容器）である。使い切り容器とすることにより、食品の衛生管理に都合よい。
【００２７】
図１に加え図２の縦断面図を用い、容器本体１０の構造をさらに説明する。開口部１１と底部１２から把握されるように、容器胴部１８のテーパ状筒胴部１３は底部１２に向かって傾斜しており、底部１２の直径Ｄｂは開口部１１よりも小さくしており全体で円錐台形状である。
【００２８】
テーパ状筒胴部１３の上部１４に段部１５が形成される。段部１５の上側部１５ａ同士の直径Ｄ２は段部１５の下側部１５ｂ同士の直径Ｄ１よりも短くすること（Ｄ２＜Ｄ１）により狭められている。こうして、テーパ状筒胴部１３及び容器胴部１８の縮小の向きとは逆に段部１５の下（下側部１５ｂ）から上（上側部１５ａ）へ縮小して直径が窄まる部位として形成される。当該部位が逆テーパ帯状部１６である。
【００２９】
さらに、実施形態の容器本体１０の容器胴部１８において、テーパ状筒胴部１３と段部１５との間に、容器胴部１８の外側に向けて突出する胴突部２３が備えられる。胴突部２３は補助段部２１と補助傾斜部２２から形成される。前出の食品は、容器本体１０の容器内部１９に収容される。
【００３０】
図３及び図４を用い紙製外装体５０の作製と構造を説明する。紙製外装体５０は、その上辺部５３を下辺部５４より長くする扇形状紙片５１からなる。扇形状紙片５１は当該上下関係を維持しつつ環状に曲げられ、扇形状紙片５１の左右に位置する接合部５７，５７にて相互に貼着される。容器胴部１８の傾斜に対応する角度を有する逆円錐台形状のテーパ状筒状体５２ができる。こうして、扇形状紙片５１の状態から容器胴部１８に巻着される紙製外装体５０は形成される。
【００３１】
図３から理解されるように、紙製外装体５０には表示部７０が設けられている。表示部７０は、扇形状紙片５１への印刷部またはシール等であり、大きさ、形状、色彩等は適宜である。むろん、扇形状紙片５１自体の印刷と合わせて表示部７０も印刷される。テーパ状筒状体５２へ曲げる前の扇形状紙片５１は平面であるため、印刷等の加工は容易である。表示部７０を通じて紙製外装体５０の表面（握持部５５）に内容物の種類、原材料、調理法、注意事項、商品名等の文字情報、商品のバーコード、製造者、販売者等の各種情報、パッケージデザインのための図柄、写真等が表示される。表示部７０を通じて容器１の外観意匠は高められ、商品価値の向上、顧客への訴求性も高められる。
【００３２】
次に、図４に示すとおり、テーパ状筒状体５２の上辺部５３は当該紙製外装体５０の内側となる筒内６０へ折り込まれる。そこで、テーパ状筒状体５２の上部５６には上辺部折曲部６１が形成される。上辺部折曲部６１の形成時に、扇形状紙片５１の上辺部５３はテーパ状筒状体５２の筒内６０方へ折り曲げられていることにより、上辺部折曲部６１に適度なしわ（プリーツ）を有する内側ひだ部６２も部分的に生じる。扇形状紙片５１の下辺部５４もテーパ状筒状体５２の筒内６０方へ折り曲げられる。テーパ状筒状体５２の下部５８に内側折重部６４よりなる下辺部折曲部６３が形成される（図１，５参照）。
【００３３】
下辺部折曲部６３により容器本体１０の容器下端部６５は構成される（図１，５参照）。テーパ状筒状体５２の内側折重部６４よりなる下辺部折曲部６３は、いわゆる当該容器１の高台となる。そこで、通常の紙コップ等と同様に、下辺部折曲部６３では内側折重部６４はテーパ状筒状体５２の筒内６０方へ堅く折り曲げられる。よって、容器下端部６５の剛性は確保される。
【００３４】
加えて、容器下端部６５は容器１を安定して立設させる脚部としても作用する。容器下端部６５の下辺部折曲部６３では、内側折重部６４の折り曲げに伴い、内周側の全周に複数の縦方向のしわが形成される。これにより、下辺部折曲部６３の強度が増すため、脚部となる容器下端部６５の安定性は向上する。容器下端部６５の高さは、扇形状紙片５１の材質、容器本体１０の大きさ、形状、安定性等を考慮して設定される。実施形態では約５ないし６ｍｍである。
【００３５】
これに対し、上辺部５３の折り曲げにより形成される上辺部折曲部６１では、逆テーパ帯状部１６への圧接を考慮して、下辺部折曲部６３よりもやや緩く折り曲げられる。加えて、図４より理解されるように、テーパ状筒状体５２の上辺部５３の筒内６０方への折り曲げ時には、上辺部折曲部６１の形成とともに内側ひだ部６２も作られる。この内側ひだ部６２は上辺部折曲部６１よりもさらにテーパ状筒状体５２（紙製外装体５０）の筒内６０方へ突出した突起部分となる。
【００３６】
図５の部分断面図を用い、容器１における容器本体１０と紙製外装体５０の巻着状態を説明する。図１ないし図４に開示の紙製外装体５０（テーパ状筒状体５２）の筒内６０に容器本体１０が差し込まれる。最終的に、紙製外装体５０の上辺部折曲部６１が容器本体１０の段部１５を乗り越えて逆テーパ帯状部１６へ到達する位置まで紙製外装体５０は押し込まれる。図４の上辺部折曲部６１の説明のとおり、紙製外装体５０の上辺部折曲部６１の折り曲げはやや緩いため、上辺部折曲部６１が上昇して段部１５を通過する際には、薄くなって通過は容易となる。
【００３７】
その後、逆テーパ帯状部１６に到達して空間に余裕が生じると上辺部折曲部６１の折り目は開き、上辺部折曲部６１は逆テーパ帯状部１６側に近づき接触する。同時に、紙製外装体５０の扇形状紙片５１自体の弾性も加わって上辺部折曲部６１は逆テーパ帯状部１６を圧接する。さらに、上辺部折曲部６１の内側ひだ部６２も逆テーパ帯状部１６側に近づき逆テーパ帯状部１６へ接触し圧接する。よって、逆テーパ帯状部１６は、上辺部折曲部６１とともに内側ひだ部６２の圧接を受けることになり、容器本体１０と紙製外装体５０の固定はいっそう強固となる。従って、容器本体１０と紙製外装体５０の固定に際し、接着剤を省略しても相互の固定は可能となる。
【００３８】
容器本体１０の容器胴部１８（テーパ状筒胴部１３）と紙製外装体５０（テーパ状筒状体５２）の握持部５５との間には、底部１２から段部１５にかけて断熱空間Ｓ１が形成される。図示の実施形態にあっては、胴突部２３が容器胴部１８の外側に向けて突出している。そのため、紙製外装体５０の握持部５５は、より容器胴部１８から離されて断熱空間Ｓ１は広がる。加えて、胴突部２３は段部１５の直下であるとともに補助段部２１と補助傾斜部２２から形成されている。このことから、胴突部２３の形状に起因して紙製外装体５０との接触量は少なくなる。また、胴突部２３の位置に起因して握持部５５を持った際のテーパ状筒胴部１３からの熱伝導は軽減される。それゆえ、容器胴部１８を介する食品の熱伝導の影響は緩和され、熱い食品及び冷たい食品のいずれであっても持ちやすさは向上する。
【００３９】
図示から把握されるように、下辺部折曲部６３は容器本体１０の底部１２より下方に延設されていて、容器本体１０の容器下端部６５として構成される。この容器下端部６５は容器１の高台として機能する。容器下端部６５により容器本体１０は底上げされて底部１２は接地面（図示せず）から離隔される。容器本体１０の底上げに伴い、底部１２の直下にも断熱空間Ｓ２が形成され、容器本体１０の底部１２の断熱効果は向上する。特に、容器本体１０に熱い食品が充填されたり熱湯が注がれたりして、容器本体１０の底部１２に撓み等の変形が生じるような場合であっても、直接容器本体１０の底部１２は接地しないため、安定性は確保される。また、容器下端部６５を高台として手で支えて容器１を持つことができるため、熱が伝わらず持ちやすさの点においても優れている。
【００４０】
容器１において、容器本体１０の容器胴部１８の全体が、紙製外装体５０（テーパ状筒状体５２）により被覆されている。具体的には、下辺部折曲部６３が容器本体１０の底部１２より下方に延設していることから、紙製外装体５０により容器胴部１８から底部１２にかけて被覆される。同時に、上辺部折曲部６１（テーパ状筒状体５２の上部５６）はフランジ部１７の背面部１７ｕにまで到達している。このような紙製外装体５０（テーパ状筒状体５２）の被覆形態のため、容器本体１０からの熱伝導の影響はより軽減される。また、容器本体１０の容器胴部１８の凹凸の構造は覆い隠されて、容器１の見栄えは良くなる。さらに、容器１の側面部分全体が紙製外装体５０を通じて当該容器の表示部分としても活用される。
【００４１】
一連の説明にあるとおり、本発明の紙製外装体を備えた容器によると、容器本体と紙製外装体（テーパ状筒状体）との固定に接着剤が使用されない。すると、本発明の容器の使用後、容器本体から紙製外装体を簡単に取り外すこともできるため、分別も容易となる。この場合、紙製外装体、容器本体に接着剤は残らないため、それぞれの資源リサイクルも容易となる。加えて、予め紙製外装体を複数種類のみ用意しておき、食品の提供時等に必要に応じて容器本体に巻着（結合）させて容器として組み立てる使い方も可能である。そこで、容器本体の共通化が可能であり、紙製外装体のみの用意で足りるため、資材量の軽減にも貢献できる。
【産業上の利用可能性】
【００４２】
本発明の紙製外装体を備えた容器は、容器本体に紙製外装体を巻着する簡易な構成により断熱効果を得るとともに、接着剤を使うことなく容器本体と紙製外装体を強固に固定し、しかも容器本体の安定性を向上させることができ、容器製造時の資材量の節約につながる。よって、既存の容器との代替が期待される。
【符号の説明】
【００４３】
１  容器
１０  容器本体
１１  開口部
１２  底部
１３  テーパ状筒胴部
１４  段部
１５  上部
１６  逆テーパ帯状部
１７  フランジ部
１８  容器胴部
１９  容器内部
２１  補助段部
２２  補助傾斜部
２３  胴突部
５０  紙製外装体
５１  扇形状紙片
５２  テーパ状筒状体
５３  上辺部
５４  下辺部
５５  握持部
５６  上部
５７  接合部
５８  下部
６０  筒内
６１  上辺部折曲部
６２  内側ひだ部
６３  下辺部折曲部
６４  内側折重部
６５  容器下端部
Ｄ１  段部の下側部の直径
Ｄ２  段部の上側部の直径
Ｓ１，Ｓ２  断熱空間
【図１】
2019023098.tif 000003
【図２】
2019023098.tif 000004
【図３】
2019023098.tif 000005
【図４】
2019023098.tif 000006
【図５】
2019023098.tif 000007